(57)【特許請求の範囲】
【請求項１】
袋底端部に相当する部位の裏面材部分に貼合わせ用の透孔を形成した原紙を裏面側に折り込む胴部折込み処理と、折り込まれた裏面材の重ね合わせ縦辺同士を接着する胴部貼合せ処理と、胴部における底端部を表面材部分と裏面材部分とが重ね合わされた状態で胴部の裏面側に折り返し、折り返された２枚重ね状態の折返し片を、前記透孔を含む範囲に塗布された接着剤を介して胴部の裏面に貼り合わせる底端部貼合わせ処理と、を含み、
袋ごとの分離用のミシン目を形成するとともに、袋底端部に相当する部位の裏面材部分に貼り合わせ用の前記透孔を打ち抜き形成した長尺の原紙を連続走行させ、前記胴部折込み処理、前記胴部貼合せ処理を順次経た後、前記ミシン目での分断によって袋素材を得、この袋素材に前記底端部貼合せ処理を施し、２枚重ねの折返し片を、透孔を含む範囲に塗布された接着剤を介して前記胴部の裏面に貼り合わせることを特徴とする包装用袋の製造方法。
【発明の詳細な説明】
【技術分野】
【０００１】
本発明は、食品や菓子などの各種物品を収納する包装用袋の製造方法に係り、特には、胴部の下端部を単に閉塞しただけの、平坦な底面を備えない平袋と呼称される包装用袋の製造方法に関する。
【背景技術】
【０００２】
平袋としては、例えば、特許文献１に示されているように、扁平筒状に形成した胴部の下端部を接着して折り返すとともに、その折り返し部分を被覆紙で覆って接着したもの（特許文献図１〜図３参照）や、胴部の下端部を接着した上で、その下端部を更に被覆紙で覆って接着したもの（特許文献図４〜図７参照）が知られている。
【先行技術文献】
【特許文献】
【０００３】
【特許文献１】実開昭６０−７６６３８号公報
【発明の概要】
【発明が解決しようとする課題】
【０００４】
上記構成の平袋は、胴部の底端を丈夫なものにできる利点はあるが、胴部の底端を閉塞するのに別の被覆紙を用いるので、材料コストが高くつくのみならず、接着工程が複雑なために大量に連続製造するのには不向きで、その製造コストも高くつくという不具合があった。
【０００５】
また、こうした不具合を解消するものとして、例えば図１１〜図１４に示すように、袋分断用のミシン目ｍを形成した原紙２を連続走行させながら、表面材部分２ａの左右に連なる裏面材部分２ｂを図１１から図１２に示すように折り線ｇ，ｈを介して折り重ねるとともに、裏面材部分２ｂの縦辺同士を接着剤ｓで貼り合せて扁平な胴部３を形成し、その後、図１３（ａ）(ｂ)に示すようにミシン目ｍを介して袋素材６を切り離し、袋底端部を、折り線ｉを介して袋裏面側に折返し、折返し片４に大きく突出形成した糊代部４ｃを図１４に示すように接着剤ｔで胴部３の裏面に貼り合せるようにしたものが考えられている。
【０００６】
この構成においては、別の被覆紙を用いることなく丈夫な底部を簡単に形成することができるものであるが、糊代部４ｃを形成するために分断用のミシン目ｍが大きい段差状となるために、胴部３における開口端の表面側に深くて大きい凹部７が形成されることになり、袋の実質深さが浅くなってしまい、原紙から所望の深さの袋を得る際の歩留まりが低下するものであった。
【０００７】
本発明は、このような実情に着目してなされたものであって、連続して能率よく、かつ、安価に製造することができるとともに、開口端を揃えることができ、しかも、低端部を丈夫なものにすることができる包装用袋の製造方法を提供することを目的としている。
【課題を解決するための手段】
【０００８】
上記目的を達成するために、本発明では次のように構成している。
【００１７】
本発明に係る包装用袋の製造方法は、袋底端部に相当する部位の裏面材部分に貼合わせ用の透孔を形成した原紙を裏面側に折り込む胴部折込み処理と、折り込まれた裏面材の重ね合わせ縦辺同士を接着する胴部貼合せ処理と、胴部における底端部を表面材部分と裏面材部分とが重ね合わされた状態で胴部の裏面側に折り返し、折り返された２枚重ね状態の折返し片を、前記透孔を含む範囲に塗布された接着剤を介して胴部の裏面に貼り合わせる底端部貼合わせ処理を施すと共に、袋ごとの分離用のミシン目を形成するとともに、袋底端部に相当する部位の裏面材部分に貼り合わせ用の前記透孔を打ち抜き形成した長尺の原紙を連続走行させ、前記胴部折込み処理、前記胴部貼合せ処理を順次経た後、前記ミシン目での分断によって袋素材を得、この袋素材に前記底端部貼合せ処理を施し、２枚重ねの折返し片を、透孔を含む範囲に塗布された接着剤を介して胴部の裏面に貼り合わせることを特徴とする。
【００１８】
本発明方法によると、１回接着剤を塗布して折返し片を折返し処理するだけで、２枚重ね状態の折返し片を、その裏面材部分のみならず表面材部分をも胴部の裏面に貼り合せることができ、別の被覆紙を用いることなく丈夫な底部を簡単に形成することができると共に、長尺の原紙を連続走行させながら、底部の丈夫な平袋を能率よく製造することができる。
【発明の効果】
【００２１】
このように、本発明によれば、連続して能率よく、かつ、安価に製造することができるとともに、開口端を揃えることができ、しかも、底端部を丈夫なものにすることができる包装用袋を得ることができる。
【図面の簡単な説明】
【００２２】
【図１】図１は、本発明の一実施形態に係る包装用袋を表側から見た斜視図である。
【図２】図２は、図１の包装用袋を裏側から見た斜視図である。
【図３】図３は、前記包装用袋の原紙の平面図である。
【図４】図４は、図３の原紙において胴部折込み工程を経た当該原紙の平面図である。
【図５】図５は、上記原紙から切り離された袋素材の平面図である。
【図６】図６は、上記袋素材の下端部折返し工程を示す斜視図である。
【図７】図７は、完成した包装用袋を裏側から見た正面図である。
【図８】図８は、図７におけるａ−ａ線断面を拡大して示す図である。
【図９】図９は、本発明の別実施例における包装用袋において下端部折返し工程を示す斜視図である。
【図１０】図１０は、図９の別実施例の包装用袋を裏側から見た斜視図である。
【図１１】図１１は、比較例における原紙の平面図である。
【図１２】図１２は、比較例の胴部折込み工程を経た原紙の平面図である。
【図１３】図１３（ａ）は、比較例の下端部折返し工程を示す斜視図、図１３（ｂ）は、完成した包装用袋を裏側から見た斜視図である。
【図１４】図１４は、比較例の包装用袋を表側から見た斜視図である。
【発明を実施するための形態】
【００２３】
以下、添付した図面を参照して本発明の実施形態に係る包装用袋を詳細に説明する。図１に本発明の実施形態に係る包装用袋を表側から見た斜視図、図２に図１の包装用袋を裏側から見た斜視図を示す。これらの図を参照して実施形態の包装用袋１は、表面材部分２ａの左右端に連なる裏面材部分２ｂを裏側に折り込み、その縦辺同士を貼り合せて扁平な胴部３を形成するとともに、この胴部３の底端裏面に２枚重ね状態の折返し片４を折り重ねて貼り合せた平袋に構成されたものである。
【００２４】
以下、図３〜図７を参照して上記包装用袋の製造工程を説明する。
【００２５】
図３に、原反ロールから繰り出されて一定方向Ｆに連続走行する原紙２が示されている。この原紙２は、表面材部分２ａの左右に裏面材部分２ｂを連設した横幅を有しており、実際には水平に走行されながら以下の各種処理を受ける。
【００２６】
先ず、その走行径路の上手において、袋単体を切り離すためのミシン目ｍが形成されるとともに、袋底端部に相当する位置に、折返し片貼り合せ用の透孔５として複数の丸形打ち抜き孔、いわゆるパンチ穴が横方向に沿って並列形成される。
【００２７】
次に、一方の裏面材部分２ｂの縦辺近くに接着剤Ｓが連続塗布され、その後、他方の裏面材部分２ｂが折り線ｇに沿って内側に折り込まれるとともに、その上に一方の裏面材部分２ｂが折り線ｈに沿って内側に折り込まれて他方の裏面材部分２ｂに重ねられ、図４に示すように、両裏面材部分２ｂの縦辺同士が貼り合わされた扁平な胴部３が連続して形成される。
【００２８】
次に、ミシン目ｍを介した切り離しが行われ、図５に示すような袋素材６が形成される。
【００２９】
図６に示すように、袋素材６における胴部３の底端部には、表面材部分４ａと裏面材部分４ｂとを重ね合わせた２枚重ね状態の前記折返し片４が形成され、その裏面材部分４ｂに接着剤ｔが透孔５を含む範囲に亘って塗布される。その後、折返し片４が折り線ｉに沿って胴部裏面側に折り返され、折返し片４が胴部３の裏面に貼り合わされて、図７に示すように、包装用袋１が完成する。
【００３０】
この場合、図８に示すように、折返し片４における裏面材部分４ｂに塗布された接着剤ｔの一部は、折返し片４における表面材部分４ａにも透孔５を介して塗布され、折返し片４における裏面材部分４ｂが胴部３の裏面に貼り合わされとともに、折返し片４における表面材部分４ａも透孔５を介して胴部３の裏面に貼り合わされ、これによって丈夫な袋底端部が形成される。
【００３１】
なお、この例では、完成した包装用袋１における表面材部分２ａの開口端に指掛け用の浅い凹部７が形成されるように、ミシン目ｍの長手方向中央部位が浅く湾曲されている。
【００３２】
（その他の実施形態）
本発明は、以下のような形態で実施することもできる。
【００３３】
（１）図９，図１０に示すように、折返し片貼合わせ用の前記透孔５を折返し片４の長手方向に沿う打ち抜き長孔にしてもよい。図９、図１０で図１ないし図８と対応する部分には同一の符号を付している。
【００３４】
（２）上記実施形態では、２枚重ねの折返し片４を胴部３の裏面に貼り合せるのに、折返し片４における裏面材部分４ｂに接着剤ｔを塗布しているが、胴部３の裏面に接着剤ｔを塗布して折返し片４を折返し貼り合せることによっても、折返し片４における表面材部分４ａを、透孔５を介して胴部３の裏面に貼り合せることができる。
【００３５】
（３）包装用袋１の開口操作を容易にする凹部７の深さは極浅いものでよく、凹部７をなくして開口端を完全に揃えるようにしてもよい。
【００３６】
（４）上記実施形態では左右にマチのない単純な平袋を例示したが、胴部３の左右にマチを折込み形成したものに適用することもできる。
【００３７】
（５）上記実施形態では、長尺の原紙２を連続走行させながらミシン目ｍの形成、透孔５の打ち抜き、および、胴部３の貼り合せを行った後、袋素材６を切り離して底端部の折返し貼り合せ処理を行うことにより高能率で袋製造を行う場合を例示しているが、透孔５が形成された枚葉の原紙に胴部貼合せ処理、および、底端部の折返し貼合せ処理を施して包装用袋１を完成させることも可能である。
【符号の説明】
【００３８】
１              包装用袋
２              原紙
２ａ            表面材部分
２ｂ            裏面材部分
３              胴部
４              折返し片
４ａ            表面材部分
４ｂ            裏面材部分
５              透孔
６              袋素材
７              凹部
ｍ              ミシン目
ｓ              接着剤
ｔ              接着剤
ｇ              折り線
ｈ              折り線
ｉ              折り線
【図１】
0005777344.tif 000002
【図２】
0005777344.tif 000003
【図３】
0005777344.tif 000004
【図４】
0005777344.tif 000005
【図５】
0005777344.tif 000006
【図６】
0005777344.tif 000007
【図７】
0005777344.tif 000008
【図８】
0005777344.tif 000009
【図９】
0005777344.tif 000010
【図１０】
0005777344.tif 000011
【図１１】
0005777344.tif 000012
【図１２】
0005777344.tif 000013
【図１３】
0005777344.tif 000014
【図１４】
0005777344.tif 000015